(57)【要約】【課題】使用していないときの保管や持ち運びが簡便な表示装置のスタンド治具を提供すること。【解決手段】表示装置２０の背面に取付固定される上下に延びた２本の支柱部材２，２と、該２本の支柱部材２，２の下端に設けられたピン挿入孔３ａ，３ａに挿入される２本のスタンドピン６，６が立設される平板状のベースプレート５とを備えた表示装置のスタンド治具であって、２本のスタンドピン６，６はそれぞれ起立状態からベースプレート５の左右外側方向に向かって傾倒可能になるように該ベースプレート５にヒンジ部材７，７を介して取り付けられている。【選択図】図１
2010281985.tif 000002
【特許請求の範囲】
【請求項１】
表示装置の背面に取付固定される上下に延びた２本の支柱部材と、該２本の支柱部材の下端に設けられたピン挿入孔に挿入される２本のスタンドピンが立設される平板状のベースプレートとを備えた表示装置のスタンド治具であって、前記２本のスタンドピンはそれぞれ起立状態から前記ベースプレートの左右外側方向または内側方向に向かって傾倒可能になるように該ベースプレートにヒンジ部材を介して取り付けられていることを特徴とする表示装置のスタンド治具。
【請求項２】
前記ベースプレートには、前記スタンドピンの前後方向への傾倒を防止するガイド部が設けられていることを特徴とする請求項１に記載の表示装置のスタンド治具。
【請求項３】
前記ベースプレートの四隅角部には、前記２本のスタンドピンを左右外側または内側に倒した状態の該ベースプレートを複数積み重ね可能にするスペーサが立設されていること特徴とする請求項１または２に記載の表示装置のスタンド治具。
【請求項４】
前記スタンドピンが前記ベースプレート上で略垂直状態に起立されるように該スタンドピンの下端部がピン部内径よりも大きい略立方体形状に形成されていることを特徴とする請求項１から３のいずれか一項に記載の表示装置のスタンド治具。
【請求項５】
前記スタンドピンの先端にテーパ部が形成されていることを特徴とする請求項１から４のいずれか一項に記載の表示装置のスタンド治具。
【請求項６】
表示装置の背面に取付固定される上下に延びた２本の支柱部材と、該２本の支柱部材の下端に設けられたピン挿入孔に挿入される２本のスタンドピンが立設される平板状のベースプレートとを備える共に、前記２本のスタンドピンはそれぞれ立設された状態から前記ベースプレートの左右外側方向または内側方向に向かって傾倒可能になるように該ベースプレートにヒンジ部材を介して取り付けられているスタンド治具と、往路用コンベアと復路用コンベアを備えた搬送装置とを用いた表示装置の製造方法であって、前記スタンド治具によって前記往路用コンベア上に載置されたパレット上に組み立て前の前記表示装置を起立状態にする工程と、起立状態にされた前記表示装置を前記往路用コンベアによって搬送しながら組み立てや検査が行われる工程と、組み立てや検査に供された後の前記スタンド治具のベースプレートを前記２本のスタンドピンが左右外側または内側に倒された状態で前記復路用コンベア上にパレットと共に載置して戻し搬送する工程とを含むことを特徴とする表示装置の製造方法。
【請求項７】
前記往路用コンベアと前記復路用コンベアが上下２段になるように配設されていることを特徴とする請求項６に記載の表示装置の製造方法。
【発明の詳細な説明】
【技術分野】
【０００１】
本発明は、液晶表示装置などの表示装置の組み立てや検査をする際に、その表示装置を起立状態に保持するスタンド治具およびこれを用いた表示装置の製造方法に関する。
【背景技術】
【０００２】
近年、壁掛け用の薄型且つ大型の大画面テレビとして液晶表示装置やプラズマ表示装置などの表示装置が普及してきている。例えば、図６に示されるような壁掛け用の液晶表示装置２０は、表側キャビネット２１と裏側キャビネット２２とから構成される筐体に液晶表示パネル２３が収容されており、この場合、意匠性を向上させるためにスピーカを表側キャビネット２１に内蔵するのではなく、表側キャビネット２１の下端中央に長尺のスピーカ２４が垂下するように設けられている。
【０００３】
このような液晶表示装置２０は、スピーカ２４が下端に垂下して設けられているため起立状態（縦置き状態）には自立不能となっており、組み立てや検査においては、図７に示されるような、裏側キャビネット２２の背面に取付固定される上下に延びた２本の支柱部材３１，３１と、これら２本の支柱部材３１，３１の下端に設けられたピン挿入孔３１ａ，３１ａに挿入される２本のスタンドピン３３，３３が立設されたベースプレート３２とから構成されるスタンド治具３０が用いられている。尚、本発明に関連する先行技術文献として下記特許文献１が挙げられる。
【先行技術文献】
【特許文献】
【０００４】
【特許文献１】特開平９−１２７８８２号公報
【発明の概要】
【発明が解決しようとする課題】
【０００５】
しかしながら、スタンド治具３０のベースプレート３２は、棒状の２本のスタンドピン３３，３３が平板状のベース部３２ａ上に立設された形状を有しているため、使用していないときの保管や持ち運びの際に、複数のベースプレート３２を上下に積み重ねた状態にするのが困難であることから、保管や持ち運びに適していないという問題があった。
【０００６】
そこで、本発明が解決しようとする課題は、使用していないときの保管や持ち運びが簡便な表示装置のスタンド治具およびこれを用いた表示装置の製造方法を提供することである。
【課題を解決するための手段】
【０００７】
上記課題を解決するため本発明は、表示装置の背面に取付固定される上下に延びた２本の支柱部材と、該２本の支柱部材の下端に設けられたピン挿入孔に挿入される２本のスタンドピンが立設される平板状のベースプレートとを備えた表示装置のスタンド治具であって、前記２本のスタンドピンはそれぞれ起立状態から前記ベースプレートの左右外側方向または内側方向に向かって傾倒可能になるように該ベースプレートにヒンジ部材を介して取り付けられていることを要旨とするものである。
【０００８】
このような構成の表示装置のスタンド治具によれば、２本のスタンドピンはそれぞれ起立状態からベースプレートの左右外側方向または内側方向に向かって傾倒可能になるように該ベースプレートにヒンジ部材を介して取り付けられているので、使用していないときは２本のスタンドピンをそれぞれ横に倒してベースプレートの高さを低くすることができる。このようにスタンドピンは、ベースプレートにおいて立てた起立姿勢と、起立姿勢から傾倒させた傾倒姿勢とに切り換え可能であることからから、必要なときのみ立たせ、保管や持ち運びのときは傾倒させておくことができる。これにより、保管や持ち運びに適した形状にベースプレートの形状を変化させることができる。
【０００９】
この場合、前記ベースプレートには、前記スタンドピンの前後方向への傾倒を防止するガイド部が設けられている構成にすれば、表示装置の重さに堪えられるようにスタンドピンの起立状態を保持することができる。
【００１０】
また、前記ベースプレートの四隅角部には、前記２本のスタンドピンを左右外側または内側に倒した状態の該ベースプレートを複数積み重ね可能にするスペーサが立設されている構成にすれば、ベースプレートの保管や持ち運びが更に簡便になる。
【００１１】
更に、前記スタンドピンが前記ベースプレート上で略垂直状態に起立されるように該スタンドピンの下端部がピン部内径よりも大きい略立方体形状に形成されている構成にすれば、支柱部材が取り付けられた表示装置を載せる際に、起立状態のスタンドピンが不用意に倒れてしまうことが防止される。
【００１２】
そして、前記スタンドピンの先端にテーパ部が形成されている構成にすれば、支柱部材の下端に設けられたピン挿入孔への挿入が行い易くなる。
【００１３】
また、本発明は、表示装置の背面に取付固定される上下に延びた２本の支柱部材と、該２本の支柱部材の下端に設けられたピン挿入孔に挿入される２本のスタンドピンが立設される平板状のベースプレートとを備える共に、前記２本のスタンドピンはそれぞれ立設された状態から前記ベースプレートの左右外側方向または内側方向に向かって傾倒可能になるように該ベースプレートにヒンジ部材を介して取り付けられているスタンド治具と、往路用コンベアと復路用コンベアを備えた搬送装置とを用いた表示装置の製造方法であって、前記スタンド治具によって前記往路用コンベア上に載置されたパレット上に組み立て前の前記表示装置を起立状態にする工程と、起立状態にされた前記表示装置を前記往路用コンベアによって搬送しながら組み立てや検査が行われる工程と、組み立てや検査に供された後の前記スタンド治具のベースプレートを前記２本のスタンドピンが左右外側または内側に倒された状態で前記復路用コンベア上にパレットと共に載置して戻し搬送する工程とを含むことを要旨とするものである。
【００１４】
このような構成の表示装置の製造方法によれば、組み立てに供された後のスタンド治具のベースプレート、つまり使用済みのベースルプレートを２本のスタンドピンが左右外側または内側に倒された状態で復路用コンベア上にパレットと共に載置して戻し搬送するので、ベースプレートを作業者が往路用コンベアの始点位置まで持ち運ぶ必要がなくなり、その分、表示装置の組み立てや検査が行い易くなる。
【００１５】
この場合、前記往路用コンベアと前記復路用コンベアが上下２段になるように配設されている構成にすれば、往路用コンベアと復路用コンベアを横並びに配設する場合よりもスペース効率が上がると共に、上下２段に配設された往路用コンベアと復路用コンベアの間の上下方向の隙間が狭い場合でも、組み立てに供された後のスタンド治具のベースプレートを２本のスタンドピンを左右外側または内側に倒した状態で復路用コンベア上にパレットと共に載置して戻し搬送することが可能である。
【発明の効果】
【００１６】
本発明に係る表示装置のスタンド治具およびこれを用いた表示装置の製造方法によれば、２本のスタンドピンはそれぞれ起立状態からベースプレートの左右外側方向または内側方向に向かって傾倒可能になるように該ベースプレートにヒンジ部材を介して取り付けられているので、使用していないときは２本のスタンドピンをそれぞれ横に倒してベースプレートの高さを低くすることにより、保管や持ち運びに適した形状にベースプレートの形状を変化させることができる。
【図面の簡単な説明】
【００１７】
【図１】本発明の一実施形態に係るスタンド治具の概略構成を示した外観斜視図である。
【図２】図１のベースプレートの分解斜視図である。
【図３】（ａ）はベースプレートに設けられた２本のスタンドピンが倒れた状態を示した外観斜視図、（ｂ）は複数のベースプレートを上下に積み重ねた状態を示した図である。
【図４】表示装置の組み立てや検査が行われる製造ラインの概略構成を示した図である。
【図５】ベースプレートの変形例を示した図である。
【図６】壁掛け用の表示装置の概略構成を示した外観斜視図である。
【図７】従来用いられてきたスタンド治具の概略構成を示した外観斜視図である。
【発明を実施するための形態】
【００１８】
以下に、本発明に係る表示装置のスタンド治具およびこれを用いた表示装置の製造方法の実施の形態ついて、図面を参照して詳細に説明する。
【００１９】
図１は本発明に係るスタンド治具の概略構成を示した外観斜視図である。図示されるようにスタンド治具１は、液晶表示装置２０の裏側キャビネット２２の背面に取付固定される上下に延びた２本の支柱部材２，２と、これら２本の支柱部材２，２の下端に設けられたピン挿入孔３ａ，３ａに挿入される２本のスタンドピン６，６が立設されたベースプレート５とから構成される。
【００２０】
スタンド治具１が備える支柱部材２は、断面コ字形状を有する金属製のアングル材が用いられており、裏側キャビネット２２の背面に複数形成された取付孔に、固定ネジ４を介して固定されている。
【００２１】
支柱部材２の下方には、ピン挿入孔３ａが貫通形成された金属製の円筒部材３が溶接加工等によって固定されており、支柱部材２の下端から下方に突出するように配設されている。
【００２２】
スタンド治具１が備えるベースプレート５は、平板形状を有するベース部５ａと、このベース部５ａの上に２本のスタンドピン６，６とを備える。ベース部５ａは、金属性の板材の打ち抜き加工により略Ｈ字形状に成形されている。
【００２３】
スタンドピン６は、図２に示されるように、先端に向かって先細状になるようにテーパ部６ｃが形成された棒状のピン部６ａと、このピン部６ａの下端に設けられた直方体形状を有する基部６ｂとが、アルミ材の切削加工等により一体になるように成形されている。これら２本のスタンドピン６，６は、ヒンジ部材（蝶番）７，７を介してベース部５ａに対して回動自在に取り付けられている。
【００２４】
この場合、左側のスタンドピン６の基部６ｂの左側面にヒンジ部材７の一方のばて７ａが固定ネジ８によって固定され、他方のばて７ｂがベース部５ａに固定ネジ８によって固定される。従って、左側のスタンドピン６は、図３（ａ）に示されるようにヒンジ部材７を介して起立状態から左側に９０度以上の角度に傾倒可能になっている。
【００２５】
また、右側のスタンドピン６の基部６ｂの右側面にヒンジ部材７の一方のばて７ａが固定ネジ８によって固定され、他方のばて７ｂがベース部５ａに固定ネジ８によって固定される。従って、右側のスタンドピン６は、図３（ａ）に示されるようにヒンジ部材７を介して起立状態から右側に９０度以上の角度に傾倒可能になっている。
【００２６】
このようにスタンドピン６，６はベース部５ａ上に立てた起立姿勢と、この起立姿勢から傾倒させた傾倒姿勢とに切り換え可能であるから、必要なときのみベース部５ａ上に立たせ、保管や持ち運びのときはベース部５ａ上で傾倒させておくことができる。
【００２７】
更に、スタンドピン６の前後には、ガイド部材９，９がベース部５ａに固定されている。ガイド部材９は、金属性板材の折曲加工等により断面Ｌ字形状に成形されており、固定ネジ１０によってベース部５ａ上に固定されている。
【００２８】
この場合、ガイド部材９，９は、起立状態のスタンドピン６の基部６ｂの前後を挟み込むように配設されており、このガイド部材９，９によって起立状態のスタンドピン６が表示装置２０の重さに堪えられずに前後に傾倒してしまうことが防止されている。
【００２９】
また、ベース部５ａの四隅角部には、４つのスペーサ１１，１１，１１，１１が立設されている。このスペーサ１１は、円柱形状を有する樹脂製の部材でその高さは、図３（ｂ）に示されるように、倒した状態のスタンドピン６の基部６ｂや、ガイド部材９よりも高くなる長さを有している。
【００３０】
このようなスペーサ１１をベース部５ａの四隅角部に設けることで、図示されるような複数のベースプレート５を上下に積み重ねることが可能になっている。これにより、ベースプレート５の保管や持ち運びが行い易くなっている。
【００３１】
次に、このようなスタンド治具１を用いた表示装置２０の製造方法について説明する。図４は表示装置２０の組み立てや検査を行う製造ラインを示しており、２つのコンベア１３ａ，１３ｂが上下２段になるように配設された搬送装置１３を備えている。
【００３２】
上段の往路用コンベア１３ａは、組み立てや検査が行われる表示装置２０をパレット１４上に載置して搬送するのに用いられ、下段の復路用コンベア１３ｂは、使用済みパレット１４を戻し搬送するのに用いられている。
【００３３】
この場合、上側の往路用コンベア１３ａの上にパレット１４を載置し、そのパレット１４の上に、スタンドピン６，６が起立姿勢になっているベースプレート５を載置すると共に、表示装置２０に取付固定された支柱部材２，２をベースプレート５に装着することで、表示装置２０は往路用コンベア１３ａ上でスタンド治具１によって起立状態に保持される。
【００３４】
図示されるように、組み立てに供された後のベースプレート５、つまり使用済みのベースプレート５は、２本のスタンドピン６，６が左右外側に倒された状態で復路用コンベア１３ｂ上にパレット１４と共に載置して戻し搬送されるようになっており、使用済みのベースプレート５を再度使用するために作業者が往路用コンベア１３ａの始点位置まで持ち運ぶ必要がなくなっている。
【００３５】
以上説明したスタンド治具１によれば、２本のスタンドピン６，６はそれぞれ起立状態からベースプレート５の左右外側方向に向かって傾倒可能になるようにベースプレート５にヒンジ部材７，７を介して取り付けられているので、使用していないときは２本のスタンドピン６，６をそれぞれ横に倒してベースプレート５の高さを低くすることができる。
【００３６】
このようにスタンドピン６，６は、ベースプレート５において立てた起立姿勢と、起立姿勢から傾倒させた傾倒姿勢とに切り換え可能であることからから、必要なときのみ立たせ、保管や持ち運びのときは傾倒させておくことができる。これにより、保管や持ち運びに適した形状にベースプレート５の形状を変化させることができる。
【００３７】
この場合、ベースプレート５には、スタンドピン６の前後方向への傾倒を防止するガイド部９，９が設けられているので、表示装置２０の重さに堪えられるようにスタンドピン６の起立状態（起立姿勢）を保持することができる。
【００３８】
また、ベースプレート５の四隅角部には、２本のスタンドピン６，６を左右外側に倒した状態のベースプレート５を、図３（ｂ）に示されるように複数積み重ねることができるスペーサ１１，１１，１１，１１が立設されているので、ベースプレート５の保管や持ち運びが更に簡便になっている。
【００３９】
更に、スタンドピン６がベースプレート５上で略垂直状態に起立されるようにスタンドピン６の基部６ｂがピン部６ａ内径よりも大きい略立方体形状に形成されているので、表示装置２０に取り付けられた支柱部材２を装着する際に、起立状態のスタンドピン６が不用意に倒れてしまうことが防止されている。
【００４０】
また、上述した表示装置の製造方法によれば、スタンド治具１によって往路用コンベア１３ａ上に載置されたパレット１４上に組み立て前の表示装置２０を起立状態（起立姿勢）にする工程と、起立状態（起立姿勢）にされた表示装置２０を往路用コンベア１３ａによって搬送しながら組み立てや検査が行われる工程と、組み立てや検査に供された後のスタンド治具１のベースプレート５、つまり使用済みのベースプレート５を２本のスタンドピン６，６が左右外側に倒された状態で復路用コンベア１３ｂ上にパレット１４と共に載置して戻し搬送する工程になっているので、ベースプレート５を作業者が往路用コンベア１３ａの始点位置まで持ち運ぶ必要がなくなり、その分、表示装置２０の組み立てや検査が行い易くなる。
【００４１】
この場合、往路用コンベア１３ａと復路用コンベア１３ｂが上下２段になるように配設されているので、往路用コンベア１３ａと復路用コンベア１３ｂを横並びに配設する場合よりもスペース効率が上がると共に、上下２段に配設された往路用コンベア１３ａと復路用コンベア１３ｂの間の上下方向の隙間が狭い場合でも、組み立てに供された後のスタンド治具１のベースプレート５を２本のスタンドピン６，６を左右外側に倒した状態で復路用コンベア１３ｂ上にパレット１４と共に載置して戻し搬送することが可能である。
【００４２】
以上、本発明に係る表示装置のスタンド治具およびこれを用いた表示装置の製造方法の一実施形態について説明したが、本発明はこうした実施形態に何ら限定されるものではなく、本発明の要旨を逸脱しない範囲において、種々なる態様で実施できることは勿論である。
【００４３】
例えば、図５に示されるように、スタンドピン６，６が内側方向に傾倒可能となるようにヒンジ部材７，７を内側に取り付けると共に、倒したスタンドピン６，６同士が干渉しないようにピン部６ａ，６ａの長さを短くした構成にしても良い。
【００４４】
このようにすれば、使用していないときは２本のスタンドピン６，６をそれぞれ横に倒してベースプレート５の高さを低くすることができると共に、倒したスタンドピン６，６がベース部５ａから突出しないようにすることができるので、ベースプレート５のコンパクト化が可能になる。
【００４５】
また、ベースプレート５の平面視において略Ｈ字形状を有するベース部５ａ、棒状のピン部６ａと直方体形状の基部６ｂを備えたスタンドピン６、断面Ｌ字形状を有するガイド部材９等は、上述した実施形態の形状には限定されず、種々なる形状を採用することが可能である。
【符号の説明】
【００４６】
１  スタンド治具
２  支柱部材
３  円筒部材
３ａ  ピン挿入孔
５  ベースプレート
５ａ  ベース部
６  スタンドピン
６ａ  ピン部
６ｂ  基部
６ｃ  テーパ部
７  ヒンジ部材（蝶番）
９  ガイド部材
１１  スペーサ
１３  搬送装置
１３ａ  往路用コンベア
１３ｂ  復路用コンベア
１４  パレット
２０  液晶表示装置
２２  裏側キャビネット
【図１】
2010281985.tif 000003
【図２】
2010281985.tif 000004
【図３】
2010281985.tif 000005
【図４】
2010281985.tif 000006
【図５】
2010281985.tif 000007
【図６】
2010281985.tif 000008
【図７】
2010281985.tif 000009